(57)【要約】【課題】ローミングにおける操作者の意図しない接続を防止する。【解決手段】ローミング先でのローミング認証で得たオペレータ情報（国番号、時差）から、自国時刻を算出し、発話時に自国時刻による警告画面を表示する手段を設けると共に、ローミング情報を元にローミング先からの自国サービスサーバへの意図しない接続に対し警告及び、接続させない手段を設ける。【選択図】図１
2008301435.tif 000002
【特許請求の範囲】
【請求項１】
ローミングを行うためのＵＳＩＭカードと、
ローミング先の国の時刻情報を管理する時計部と、
前記ローミング先の国から自国のサービスサーバへの接続を試みる際、前記時刻情報と、ローミング認証で得た国番号及び時差とに基づいて、前記自国の時刻を算出し、前記自国の時刻が深夜時間帯であれば前記自国のサービスサーバへの接続を制限する制御部と
を具備する
携帯端末装置。
【請求項２】
請求項１に記載の携帯端末装置であって、
前記制御部は、前記ローミング先の国から所定の国の通信先への通信を試みる際、前記時刻情報と、ローミング認証で得た国番号及び時差とに基づいて、前記所定の国の時刻を算出し、前記所定の国の時刻が所定の時間帯であれば前記所定の国の通信先への通信を制限する
携帯端末装置。
【請求項３】
請求項２に記載の携帯端末装置であって、
前記制御部は、前記所定の国の時刻が所定の時間帯でなくなれば前記所定の国の通信先への通信を行う
携帯端末装置。
【請求項４】
請求項１乃至３のいずれか一項に記載の携帯端末装置であって、
ローミング中に機能制限される機能に関する設定情報を格納する一時記憶部と、
前記設定情報に基づき、ローミング中に前記機能が選択された場合に警告を表示する表示部と
を更に具備する
携帯端末装置。
【請求項５】
請求項１乃至４のいずれか一項に記載の携帯端末装置であって、
ダイヤル入力の操作を行うためのキー入力部
を更に具備し、
前記制御部は、前記ダイヤル入力に基づいて国際発信か否かの判断を行い、国際発信であれば国番号及び時差を取得する
携帯端末装置。
【請求項６】
ローミング先の国の時刻情報を管理するステップと、
前記ローミング先の国から自国のサービスサーバへの接続を試みる際、前記時刻情報と、ローミング認証で得た国番号及び時差とに基づいて、前記自国の時刻を算出するステップと、
前記自国の時刻が深夜時間帯であれば前記自国のサービスサーバへの接続を制限するステップと
を具備する
機能制限方法。
【請求項７】
請求項６に記載の機能制限方法であって、
前記ローミング先の国から所定の国の通信先への通信を試みる際、前記時刻情報と、ローミング認証で得た国番号及び時差とに基づいて、前記所定の国の時刻を算出するステップと、
前記所定の国の時刻が所定の時間帯であれば前記所定の国の通信先への通信を制限するステップと
を更に具備する
機能制限方法。
【請求項８】
請求項７に記載の機能制限方法であって、
前記所定の国の時刻が所定の時間帯でなくなれば前記所定の国の通信先への通信を行うステップと
を更に具備する
機能制限方法。
【請求項９】
請求項６乃至８のいずれか一項に記載の機能制限方法であって、
ローミング中に機能制限される機能に関する設定情報を設定するステップと、
前記設定情報に基づき、ローミング中に前記機能が選択された場合に警告を表示するステップと
を更に具備する
機能制限方法。
【請求項１０】
請求項６乃至９のいずれか一項に記載の機能制限方法であって、
ダイヤル入力を受け付けるステップと、
前記ダイヤル入力に基づいて国際発信か否かの判断を行い、国際発信であれば国番号及び時差を取得するステップと
を更に具備する
機能制限方法。
【請求項１１】
ローミング先の国の時刻情報を管理するステップと、
前記ローミング先の国から自国のサービスサーバへの接続を試みる際、前記時刻情報と、ローミング認証で得た国番号及び時差とに基づいて、前記自国の時刻を算出するステップと、
前記自国の時刻が深夜時間帯であれば前記自国のサービスサーバへの接続を制限するステップと
を具備する
制限プログラム。
【請求項１２】
請求項１１に記載の制限プログラムであって、
前記ローミング先の国から所定の国の通信先への通信を試みる際、前記時刻情報と、ローミング認証で得た国番号及び時差とに基づいて、前記所定の国の時刻を算出するステップと、
前記所定の国の時刻が所定の時間帯であれば前記所定の国の通信先への通信を制限するステップと
を更に具備する
制限プログラム。
【請求項１３】
請求項１２に記載の制限プログラムであって、
前記所定の国の時刻が所定の時間帯でなくなれば前記所定の国の通信先への通信を行うステップと
を更に具備する
制限プログラム。
【請求項１４】
請求項１１乃至１３のいずれか一項に記載の制限プログラムであって、
ローミング中に機能制限される機能に関する設定情報を設定するステップと、
前記設定情報に基づき、ローミング中に前記機能が選択された場合に警告を表示するステップと
を更に具備する
制限プログラム。
【請求項１５】
請求項１１乃至１４のいずれか一項に記載の制限プログラムであって、
ダイヤル入力を受け付けるステップと、
前記ダイヤル入力に基づいて国際発信か否かの判断を行い、国際発信であれば国番号及び時差を取得するステップと
を更に具備する
制限プログラム。
【発明の詳細な説明】
【技術分野】
【０００１】
本発明は、携帯端末装置に関し、特にローミングサービスを利用する携帯端末装置に関する。
【背景技術】
【０００２】
携帯電話機において、例えば外国での使用に際しては、ローミング（ｒｏａｍｉｎｇ）を行うことが多い。なお、ローミングとは、契約している通信事業者のサービスを、その通信事業者のサービス範囲外でも、提携している他の通信事業者の設備を利用して受けられるようにすることである。国際ローミングサービスを利用すると海外でも現地の通信事業者の設備を使ってサービスを受けることができる。
【０００３】
そのローミングを利用したサービスは、ＵＳＩＭ（Ｕｓｅｒ  Ｓｕｂｓｃｒｉｂｅｒ  Ｉｄｅｎｔｉｔｙ  Ｍｏｄｕｌｅ）カードの機能で認証処理を開始し、ローミング先のオペレータに接続し認証を完了した後に、オペレータ情報を携帯電話機に返送し、携帯電話機でローミング先のオペレータ情報を得ることで利用可能となる。ローミング先が自国と時差が有る場合、多くの場合は携帯電話の時計をローミング先時刻に修正し使用する。
【０００４】
しかしながら、既存の携帯電話機においては、次のような課題が考えられる。
例えば、操作者は時差が有る場合ローミング先時刻に修正するため、ローミング国以外に電話する場合にはローミング国以外の時刻を意識しながら電話をする必要があると考えられる。
【０００５】
また、既存の携帯電話機の機能は、サービス契約をしていればローミング先より自国及び他国への発話をすることを前提としており、操作者の意図しない場合であっても接続をしてしまうと利用料金を支払う必要があると考えられる。これは、Ｗｅｂ機能、メール機能、留守録機能であっても同様である。
【０００６】
また、多くのローミング先で自国にいる時と変わりない機能が使用できるため、使用に際しては利用料金を絶えず意識していないと、自国同様に使用すると意図しない利用料金が発生してしまう場合があると考えられる。
【０００７】
なお、関連する技術として、特開２００６−２４６０４９号公報（特許文献１）に保持情報修正方法、情報端末装置及び携帯電話端末装置並びにその制御プログラムが開示されている。
この公知技術では、携帯電話端末装置の使用において、自国外へのローミングに際して、ＵＳＩＭカードの制御部及びメモリを用いて認証確認を行う。この認証確認後に、制御部においてローミング先から返送されて来るオペレータ情報に基づいてローミング先との間に時差が有るか否かを確認し、時差が有るならば、国番号情報に基づいて携帯電話端末装置の時刻を修正する。制御部は、修正時刻に基づいてスケジュール機能情報を修正すると共に、電話帳情報を国番号情報に基づいて修正する。しかし、この公知技術では、時刻及びスケジュール機能の時刻を、自国時刻からローミング先時刻へ自動変換することにより利便性の向上を図っているが、上記課題については解決に至っていない。
【０００８】
また、特開２００６−２１７２６８号公報（特許文献２）に携帯電話機が開示されている。
この公知技術では、国際ローミングサービスを利用している携帯電話機において、時刻を計時し、現地時刻を表す音声データを合成し、現地時刻を表す音声データを発呼側電話機へ音声通知する。
【０００９】
また、特開２００５−１２４０１５号公報（特許文献３）に移動体通信システムが開示されている。
この公知技術では、移動機が海外網に国際ローミングしている時、その在圏しているＶＬＲのＶＬＲ番号が自網のＨＬＲに記録されている。移動機への着信呼があった時、ＨＬＲに記録されているＶＬＲ番号に基づいて時刻サーバーにより移動機の在圏エリアの現地時刻を算出し、発信者に通知する。発信者は、通知された現地時刻を勘案し、接続、切断又はボイスメールを選択する。これにより、時差に起因する迷惑電話を防止することができる。また、移動機のユーザーは、発信者に在圏エリアの現地時刻を通知するか否かを設定することができ、非通知とした場合には、通常の発信シーケンスが行われる。
【００１０】
【特許文献１】特開２００６−２４６０４９号公報
【特許文献２】特開２００６−２１７２６８号公報
【特許文献３】特開２００５−１２４０１５号公報
【発明の開示】
【発明が解決しようとする課題】
【００１１】
本発明の目的は、ローミング先の国で、無意識に国内同様に機能を使用制限する、或いは警告を出す携帯端末装置を提供することである。
【課題を解決するための手段】
【００１２】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１３】
本発明では、ローミング先でのローミング認証で得たオペレータ情報（国番号、時差）から、自国時刻を算出し、発話時に自国時刻による警告画面を表示する手段を設けると共に、ローミング情報を元にローミング先からの自国サービスサーバへの意図しない接続に対し警告、及び、接続させない手段を設ける。なお、自国サービスサーバとは、携帯端末装置にローミングのサービスを提供する自国内のサービスサーバを示す。
【００１４】
本発明に係る携帯端末装置（１００，３００）は、ローミングを行うためのＵＳＩＭカード（２００，４００）と、ローミング先の国の時刻情報を管理する時計部（１７０，３７０）と、前記ローミング先の国から自国のサービスサーバへの接続を試みる際、前記時刻情報と、ローミング認証で得た国番号及び時差とに基づいて、前記自国の時刻を算出し、前記自国の時刻が深夜時間帯であれば前記自国のサービスサーバへの接続を制限する制御部（１１０，３１０）とを具備する。
【００１５】
前記制御部（１１０，３１０）は、前記ローミング先の国から所定の国の通信先への通信を試みる際、前記時刻情報と、ローミング認証で得た国番号及び時差とに基づいて、前記所定の国の時刻を算出し、前記所定の国の時刻が所定の時間帯であれば前記所定の国の通信先への通信を制限する。
【００１６】
前記制御部（１１０，３１０）は、前記所定の国の時刻が所定の時間帯でなくなれば前記所定の国の通信先への通信を行う。
【００１７】
本発明に係る携帯端末装置（１００，３００）は、ローミング中に機能制限される機能に関する設定情報を格納する一時記憶部（１３０，３３０）と、前記設定情報に基づき、ローミング中に前記機能が選択された場合に警告を表示する表示部（１５０，３５０）とを更に具備する。
【００１８】
本発明に係る携帯端末装置（１００，３００）は、ダイヤル入力の操作を行うためのキー入力部（１４０，３４０）を更に具備する。前記制御部（１１０，３１０）は、前記ダイヤル入力に基づいて国際発信か否かの判断を行い、国際発信であれば国番号及び時差を取得する。
【００１９】
なお、携帯端末装置（１００，３００）に搭載された制御部（１１０，３１０）の代わりに、ＵＳＩＭカード（２００，４００）に搭載された制御部（２１０，４１０）を使用するようにしても良い。
【発明の効果】
【００２０】
意図しない利用料金発生を予防することができる。理由としては、ローミング情報を基に機能制限し、使用に際しては確認行為をすることを実現しているので、操作者の意図しない操作での利用を排除できるためである。また、受信者の意図しない発話先深夜時間帯への発話が予防できる。理由としては、ローミング情報より発話先の時刻を算出して警告表示を実現することにより、発話先の時間を意識させることが可能となり意図しない発話が排除できるためである。
【発明を実施するための最良の形態】
【００２１】
以下に、本発明の第１実施例について添付図面を参照して説明する。
図１は、本発明に係る携帯端末装置としての回路構成の要部を表したものである。
本実施例に係る携帯端末装置１００は、制御部１１０と、記憶部１２０と、一時記憶部１３０と、キー入力部１４０と、表示部１５０と、無線部１６０と、時計部１７０を備える。また、この携帯端末装置１００は、ＵＳＩＭカード２００を利用可能である。
【００２２】
制御部１１０は、携帯端末装置１００内の各部と接続され、記憶部１２０の制御プログラムに基づき、各部の制御を行う。また、国外でのローミングを行う。その際には、ＵＳＩＭカード２００を制御してローミング認証を行い、ローミング情報（オペレータ情報）を取得する。なお、ローミング情報（オペレータ情報）は、国番号（ｃｏｕｎｔｒｙ  ｃｏｄｅ）や時差に関する情報を含む。なお、国番号の代わりに、国際識別番号（ｉｎｔｅｒｎａｔｉｏｎａｌ  ａｃｃｅｓｓ  ｃｏｄｅ）を使用する場合も考えられる。制御部１１０は、ＣＰＵ等のプロセッサであることが好適である。
【００２３】
記憶部１２０は、制御部１１０が実行するための各種の制御プログラムや、各種表示等の固定的なデータを格納する。なお、記憶部１２０は、ＲＯＭ（リード・オンリ・メモリ）であることが好適である。
【００２４】
一時記憶部１３０は、制御部１１０がプログラムを実行する上で一時的に必要とされるデータ及び、各種機能設定情報、機能設定制限情報を格納する。なお、一時記憶部１３０は、ＲＡＭ（ランダム・アクセス・メモリ）であることが好適である。
【００２５】
キー入力部１４０は、制限機能設定や各種設定の操作を含む各種のキーからのキー入力を受け付ける入力回路である。なお、キー入力部１４０は、表示装置と一体化したタッチパネルでも良い。また、携帯端末装置１００に搭載されたマイク（図示されず）からの音声入力を受け付ける入力回路でも良い。
【００２６】
表示部１５０は、制限機能設定や各種設定の表示を行う表示装置である。例えば、白黒又はカラーの液晶パネル、或いは有機ＥＬ（電子蛍光）等が考えられる。
【００２７】
無線部１６０は、無線によってデータの送受信を行う回路である。これにより、携帯端末装置１００の外部と通信を行う。但し、実際には、有線でも良い。例えば、有線ＬＡＮ（Ｌｏｃａｌ  Ａｒｅａ  Ｎｅｔｗｏｒｋ）によるブロードバンド接続が考えられる。
【００２８】
時計部１７０は、携帯端末装置１００内で時刻管理を行う回路である。ローミング先が自国と時差が有る場合、ローミング先時刻に修正される。なお、時計部１７０は、電波時計でも良い。
【００２９】
ＵＳＩＭカード２００は、制御部２１０と、記憶部２２０を備える。
【００３０】
制御部２１０は、制御部１１０からのローミング認証の制御を受け処理を行う。
【００３１】
記憶部２２０は、ローミング認証のためのデータを記憶する。
【００３２】
次に、図２Ａ，図２Ｂを参照し、制御部１１０からの制御で機能制限機能設定動作を示す。なお、この機能制限機能設定動作は、記憶部１２０に格納されている制御プログラムに定義されている。
（１）ステップＳ１０１
制御部１１０は、キー入力部１４０からの指示に応じて、表示部１５０にＷｅｂ機能制限設定のための表示を行う。
（２）ステップＳ１０２
制御部１１０は、表示部１５０にＷｅｂ機能制限機能設定情報ＯＮ（有効）／ＯＦＦ（無効）を選択するための表示を行う。
（３）ステップＳ１０３
制御部１１０は、キー入力部１４０からの指示に応じて、表示部１５０に表示されているＷｅｂ機能制限機能設定情報ＯＮ／ＯＦＦを選択する。
（４）ステップＳ１０４
制御部１１０は、Ｗｅｂ機能制限機能設定情報ＯＮかＯＦＦかの判断を行う。
（５）ステップＳ１０５
制御部１１０は、Ｗｅｂ機能制限機能設定情報ＯＮであった場合、一時記憶部１３０にＷｅｂ機能制限機能ＯＮを示す情報を格納する。
（６）ステップＳ１０６
制御部１１０は、Ｗｅｂ機能制限機能設定情報ＯＦＦであった場合、一時記憶部１３０にＷｅｂ機能制限機能ＯＦＦを示す情報を格納する。
（７）ステップＳ１０７
制御部１１０は、表示部１５０にメール機能制限機能設定情報ＯＮ／ＯＦＦを選択するための表示を行う。
（８）ステップＳ１０８
制御部１１０は、キー入力部１４０からの指示に応じて、表示部１５０に表示されているメール機能制限機能設定情報ＯＮ／ＯＦＦを選択する。
（９）ステップＳ１０９
制御部１１０は、メール機能制限機能設定情報ＯＮかＯＦＦかの判断を行う。
（１０）ステップＳ１１０
制御部１１０は、メール機能制限機能設定情報ＯＮであった場合、一時記憶部１３０にメール機能制限機能ＯＮを示す情報を格納する。
（１１）ステップＳ１１１
制御部１１０は、メール機能制限機能設定情報ＯＦＦであった場合、一時記憶部１３０にメール機能制限機能ＯＦＦを示す情報を格納する。
（１２）ステップＳ１１２
制御部１１０は、表示部１５０に留守録機能制限機能設定情報ＯＮ／ＯＦＦを選択するための表示を行う。
（１３）ステップＳ１１３
制御部１１０は、キー入力部１４０からの指示に応じて、表示部１５０に表示されている留守録機能制限機能設定情報ＯＮ／ＯＦＦを選択する。
（１４）ステップＳ１１４
制御部１１０は、留守録機能制限機能設定情報ＯＮかＯＦＦかの判断を行う。
（１５）ステップＳ１１５
制御部１１０は、留守録機能制限機能設定情報ＯＮであった場合、一時記憶部１３０に留守録機能制限機能ＯＮを示す情報を格納する。
（１６）ステップＳ１１６
制御部１１０は、留守録機能制限機能設定情報ＯＦＦであった場合、一時記憶部１３０に留守録機能制限機能ＯＦＦを示す情報を格納し、各機能制限情報の作成を行う。
【００３３】
図３Ａ，図３Ｂ，図３Ｃを参照し、制御部１１０からの制御で機能制限動作を示す。なお、この機能制限動作は、記憶部１２０に格納されている制御プログラムに定義されている。
（１）ステップＳ２０１
制御部１１０は、キー入力部１４０からの指示に応じて、表示部１５０を介して機能選択を行う。但し、実際には、キー入力部１４０からの指示に限らず、機能選択を行う必要が生じた場合に、表示部１５０に機能選択を行うための画面を自動的に表示するか、自動的に機能選択を行うようにしても良い。
（２）ステップＳ２０２
制御部１１０は、図２Ａ，図２Ｂで説明した各機能の機能制限機能設定情報を一時記憶部１３０より取得する。
（３）ステップＳ２０３
制御部１１０は、ＵＳＩＭカード２００の情報を基にローミングを行いローミング情報（オペレータ情報）を取得する。
（４）ステップＳ２０４
制御部１１０は、先の機能選択がＷｅｂ機能選択であったかの判断を行う。
（５）ステップＳ２０５
制御部１１０は、Ｗｅｂ機能選択であった場合、先に取得したローミング情報から、ローミング中であるかの判断を行う。
（６）ステップＳ２０６
制御部１１０は、ローミング中であった場合、先に取得したＷｅｂ機能制限機能設定情報から、Ｗｅｂ機能制限ＯＮかＯＦＦかの判断を行う。
（７）ステップＳ２０７
制御部１１０は、Ｗｅｂ機能制限ＯＮであった場合、表示部１５０にＷｅｂ機能制限ＯＮとなっているが実行するかの確認表示を行う。
（８）ステップＳ２０８
制御部１１０は、Ｗｅｂ機能を実行するかの判断を行う。すなわち、Ｗｅｂ機能が実行ＯＫであるかの判断を行う。
（９）ステップＳ２０９
制御部１１０は、ローミング中かの判断でローミングでなかった場合、Ｗｅｂ機能制限ＯＮとなっていなかった場合、及び、実行ＯＫであった場合には、Ｗｅｂ機能を実行する。実行ＯＫで無かった場合には、Ｗｅｂ機能を行わずに終了する。
（１０）ステップＳ２１０
また、制御部１１０は、先の機能選択がＷｅｂ機能選択ＯＮで無かった場合には、次いでメール機能選択であったかの判断を行う。
（１１）ステップＳ２１１
制御部１１０は、メール選択であった場合、先に取得したローミング情報から、ローミング中であるかの判断を行う。
（１２）ステップＳ２１２
制御部１１０は、ローミング中であった場合、先に取得したメール機能制限機能設定情報から、メール制限ＯＮかＯＦＦかの判断を行う。
（１３）ステップＳ２１３
制御部１１０は、表示部１５０にメール機能制限ＯＮとなっているが実行するかの確認表示を行う。
（１４）ステップＳ２１４
制御部１１０は、実行ＯＫであるかの判断を行う。実行ＯＫで無かった場合には、メール機能を行わずに終了する。
（１５）ステップＳ２１５
制御部１１０は、ローミング中かの判断でローミングでなかった場合、メール機能制限ＯＮとなっていなかった場合、及び、実行ＯＫであった場合には、メール機能を実行する。
（１６）ステップＳ２１６
制御部１１０は、先の機能選択がメール機能選択で無かった場合には、次いで留守録機能選択であったかの判断を行う。
（１７）ステップＳ２１７
制御部１１０は、留守録選択であった場合、先に取得したローミング情報から、ローミング中であるかの判断を行う。
（１８）ステップＳ２１８
制御部１１０は、ローミング中であった場合、先に取得した留守録機能制限機能設定情報から、留守録制限ＯＮかＯＦＦかの判断を行う。
（１９）ステップＳ２１９
制御部１１０は、表示部１５０に留守録機能制限ＯＮとなっているが実行するかの確認表示を行う。
（２０）ステップＳ２２０
制御部１１０は、実行ＯＫであるかの判断を行う。実行ＯＫで無かった場合には、留守録機能を行わずに終了するようにしても良い。
（２１）ステップＳ２２１
制御部１１０は、ローミング中かの判断でローミングでなかった場合、留守録機能制限ＯＮとなっていなかった場合、及び、実行ＯＫであった場合には、留守録機能を実行する。
（２２）ステップＳ２２２
また、先の機能選択が他の機能であった場合、及び、実行ＯＫで無かった場合には、他の機能へ移行する。なお、他の機能へ移行せずに終了するようにしても良い。
【００３４】
図４を参照し、制御部１１０からの制御でローミング情報からの発話制限動作を示す。なお、この発話制限動作は、記憶部１２０に格納されている制御プログラムに定義されている。
（１）ステップＳ３０１
制御部１１０は、キー入力部１４０からの指示に応じて、表示部１５０を介して発話のためのダイヤル入力を受け付ける。このとき、ダイヤル入力された電話番号を表示部１５０に表示する。なお、ダイヤル入力は、キー入力部１４０からの直接入力に限らず、着信履歴に対する応答やリダイヤル機能を用いても良い。
（２）ステップＳ３０２
制御部１１０は、発信方法が国内か国際（国番号）かの表示選択を行う。
（３）ステップＳ３０３
制御部１１０は、発信方法が国際発信かの判断を行う。
（４）ステップＳ３０４
制御部１１０は、国際発信であった場合、ＵＳＩＭカード２００の情報を基にローミング情報（国番号、時差）を取得する。
（５）ステップＳ３０５
制御部１１０は、時計部１７０から得た時刻と、国内か国際（国番号）かの表示選択で得た国番号と、ローミング情報（国番号、時差）で得た国番号と時差から、発話先の時刻を算出する。
（６）ステップＳ３０６
制御部１１０は、深夜時間帯かの判断を行う。
（７）ステップＳ３０７
制御部１１０は、表示部１５０に発話先が深夜時間帯であるが発話するかの確認表示を行う。
（８）ステップＳ３０８
制御部１１０は、発話ＯＫとなった場合には、発話を実行し、発話ＯＫでは無かった場合には発話せずに終了する。
（９）ステップＳ３０９
また、制御部１１０は、国際発信でなかった場合、及び、深夜時間帯でなかった場合には、発話を行う。
【００３５】
ここでは、深夜時間帯を例に説明しているが、実際には、深夜時間帯に限らず、発話を避けるべき時間帯でも良い。例えば、普段、相手側が通話できない時間帯（勤務時間中、授業中、運転中、交通機関での移動中など）が考えられる。すなわち、制御部１１０は、ダイヤル入力された電話番号に基づいて相手を判定し、当該相手の発話を避けるべき時間帯であるかの判断を行う。なお、相手の電話番号、及び当該相手の発話を避けるべき時間帯については、予め設定しておく。制御部１１０は、この設定情報を一時記憶部１３０に格納する。
【００３６】
また、発話と同じように、深夜時間帯や発話を避けるべき時間帯でのメール送信を制限するようにしても良い。メールを受信する際の着信音が、発話の際の発呼と同様に相手に迷惑をかける場合が考えられるからである。この場合、制御部１１０は、機能制限される時間帯に送信要求されたメールを一時記憶部１３０に格納しておき、時計部１７０から得た時刻が機能制限される時間帯に該当しなくなった時点で、一時記憶部１３０に格納されたメールを送信するようにする。
【００３７】
また、ここでは、自国とローミング先の国との通信を例に説明しているが、実際には、他国間の通信における国際ローミングサービスに適用することも可能である。例えば、ローミング先の国から他国にいる相手に発話する際、当該他国の国番号を取得し、ローミング先の国と当該他国との時差を算出することで、当該他国の時刻を算出し、当該他国の深夜時間帯や発話を避けるべき時間帯での発話を制限することができる。
【００３８】
なお、時差について、時計部１７０は、ローミング先の国と他国との時差を算出するため、複数の国の時刻情報の管理を行うようにしても良い。このとき、国番号と当該国の時刻情報とを１対１で対応させておく。或いは、一時記憶部１３０にローミング先の国と他の各国との時差の一覧をデータリストとして格納するようにしても良い。この場合、国番号を取得した際に、時差も判明する。
【００３９】
また、ＵＳＩＭカード２００の高性能化、高機能化に伴い、制御部１１０及び記憶部１２０の代わりに、制御部２１０及び記憶部２２０を使用することが考えられる。すなわち、制御部２１０が、記憶部２２０に格納された制御プログラムに従い、本実施例の機能制限機能設定動作や機能制限動作を行うようにすることが考えられる。
【００４０】
次に、発明の第２実施例について説明する。
本発明の第２実施例においても、図１と同じ構成で、図２Ａ，図２Ｂと同じく機能制限設定する。
図５Ａ，図５Ｂ，図５Ｃを参照し、制御部１１０からの制御での他の機能制限動作を示す。なお、他の機能制限動作は、記憶部１２０に格納されている制御プログラムに定義されている。
（１）ステップＳ４０１
制御部１１０は、キー入力部１４０からの指示に応じて、表示部１５０を介して機能選択が行われた場合、図２Ａ，図２Ｂで説明した機能制限機能設定情報を一時記憶部１３０より取得する。
（２）ステップＳ４０２
制御部１１０は、ＵＳＩＭカード２００の情報を基にローミングを行い、ローミング情報（オペレータ情報）を取得する。
（３）ステップＳ４０３
制御部１１０は、先の機能選択がＷｅｂ機能選択であったかの判断を行う。
（４）ステップＳ４０４
制御部１１０は、Ｗｅｂ選択であった場合、先に取得したローミング情報から、ローミング中であるかの判断を行う。
（５）ステップＳ４０５
制御部１１０は、ローミング中であった場合、先に取得した機能制限機能設定情報から、Ｗｅｂ機能制限ＯＮかＯＦＦかの判断を行う。
（６）ステップＳ４０６
制御部１１０は、Ｗｅｂ機能制限機能ＯＮであった場合には、表示部１５０にＷｅｂ機能制限表示を行い、終了する。
（７）ステップＳ４０７
制御部１１０は、ローミング中かの判断でローミングでなかった場合、及び、Ｗｅｂ機能制限ＯＮとなっていなかった場合には、Ｗｅｂ機能を実行する。
（８）ステップＳ４０８
また、制御部１１０は、先の機能選択がＷｅｂ機能選択で無かった場合には、次いでメール機能選択であったかの判断を行う。
（９）ステップＳ４０９
制御部１１０は、メール選択であった場合、先に取得したローミング情報から、ローミング中であるかの判断を行う。
（１０）ステップＳ４１０
制御部１１０は、ローミング中であった場合、先に取得した機能制限機能設定情報から、メール制限ＯＮかＯＦＦかの判断を行う。
（１１）ステップＳ４１１
制御部１１０は、メール機能制限となっていた場合には、表示部１５０にメール機能制限表示を行い、終了する。
（１２）ステップＳ４１２
制御部１１０は、ローミング中かの判断でローミングでなかった場合、及び、機能制限ＯＮとなっていなかった場合には、メール機能を実行する。
（１３）ステップＳ４１３
また、制御部１１０は、先の機能選択がメール機能選択で無かった場合には、次いで留守録機能選択であったかの判断を行う。
（１４）ステップＳ４１４
制御部１１０は、留守録選択であった場合、先に取得したローミング情報から、ローミング中であるかの判断を行う。
（１５）ステップＳ４１５
制御部１１０は、ローミング中であった場合、先に取得した機能制限機能設定情報から、留守録制限ＯＮかＯＦＦかの判断を行う。
（１６）ステップＳ４１６
制御部１１０は、留守録機能制限となっていた場合には、表示部１５０に留守録機能制限表示を行い、終了する。
（１７）ステップＳ４１７
また、制御部１１０は、ローミング中かの判断でローミングでなかった場合、及び、機能制限ＯＮとなっていなかった場合には、留守録機能を実行する。
（１８）ステップＳ４１８
また、制御部１１０は、先の機能選択が他の機能であった場合には他の機能へ移行する。
【００４１】
このように、本実施例では、実施例同様に意図しない利用料金発生を予防することができる。理由としては、ローミング情報を基に機能制限し、操作者の意図しない操作での利用料が排除できるためである。
【００４２】
なお、各機能に対する機能制限表示を、警告表示にすることも可能である。
【００４３】
図６は、第３実施例に係る携帯端末装置の回路構成の要部を表したものである。
本実施例では、発話の際に電話帳を使用する。
本実施例に係る携帯端末装置３００は、制御部３１０と、記憶部３２０と、一時記憶部３３０と、キー入力部３４０と、表示部３５０と、無線部３６０と、時計部３７０と、電話帳記憶部３８０を備える。また、この携帯端末装置３００は、ＵＳＩＭカード４００を利用可能である。
【００４４】
制御部３１０は、携帯端末装置３００内の各部と接続され、記憶部３２０の制御プログラムに基づき、各部の制御を行う。また、国外でのローミングを行う。その際には、ＵＳＩＭカード４００を制御しローミング認証を行い、ローミング情報（オペレータ情報）を取得する。なお、ローミング情報（オペレータ情報）は、国番号（ｃｏｕｎｔｒｙ  ｃｏｄｅ）や時差に関する情報を含む。なお、国番号の代わりに、国際識別番号（ｉｎｔｅｒｎａｔｉｏｎａｌ  ａｃｃｅｓｓ  ｃｏｄｅ）を使用する場合も考えられる。制御部３１０は、ＣＰＵ等のプロセッサであることが好適である。
【００４５】
記憶部３２０は、制御部３１０が実行するための各種の制御プログラムや、各種表示等の固定的なデータを格納する。なお、一時記憶部３３０は、ＲＡＭ（ランダム・アクセス・メモリ）であることが好適である。
【００４６】
一時記憶部３３０は、制御部３１０がプログラムを実行する上で一時的に必要とされるデータ及び、各種機能設定情報、機能設定制限情報を格納するようになっている。なお、一時記憶部１３０は、ＲＡＭ（ランダム・アクセス・メモリ）であることが好適である。
【００４７】
電話帳記憶部３８０は、電話帳を格納するためのバックアップ電源を必要としないメモリである。ここでは、電話帳は、発話や通信を行う相手の電話番号やメールアドレス等の通信用の識別情報が登録されたデータリスト又はデータベースを示す。また、当該相手の属性情報が電話帳に登録されている場合もある。なお、電話帳記憶部３８０は、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）であることが好適である。
【００４８】
キー入力部３４０は、制限機能設定や各種設定の操作を含む各種のキーからのキー入力を受け付ける入力回路である。なお、キー入力部３４０は、表示装置と一体化したタッチパネルでも良い。また、実際には、携帯端末装置１００に搭載されたマイク（図示されず）からの音声入力を受け付ける入力回路でも良い。
【００４９】
表示部３５０は、制限機能設定や各種設定の表示を行う表示装置である。例えば、白黒又はカラーの液晶パネル、或いは有機ＥＬ（電子蛍光）等が考えられる。
【００５０】
無線部３６０は、無線によってデータの送受信を行う回路である。これにより、携帯端末装置３００の外部と通信を行う。但し、実際には、有線でも良い。例えば、有線ＬＡＮ（Ｌｏｃａｌ  Ａｒｅａ  Ｎｅｔｗｏｒｋ）によるブロードバンド接続が考えられる。
【００５１】
時計部３７０は、携帯端末装置３００内で時刻管理を行う回路である。ローミング先が自国と時差が有る場合、ローミング先時刻に修正される。なお、時計部３７０は、電波時計でも良い。
【００５２】
ＵＳＩＭカード２００は、制御部４１０と、記憶部４２０を備える。
【００５３】
制御部４１０は、制御部３１０からのローミング認証の制御を受け処理を行う。
【００５４】
記憶部４２０は、ローミング認証のためのデータを記憶する。
【００５５】
図７を参照し、制御部３１０からの制御でローミング情報からの発話制限動作を示す。なお、この発話制限動作は、記憶部３２０に格納されている制御プログラムに定義されている。
（１）ステップＳ５０１
制御部３１０は、キー入力部３４０の指示により表示部３５０を介して発話のための電話帳選択が行われ電話帳記憶部３８０よりダイヤル番号を得る。なお、着信履歴やリダイヤル機能によりダイヤル番号を得るようにしても良い。
（２）ステップＳ５０２
制御部３１０は、発信方法が国内か国際（国番号）かの表示選択を行う。
（３）ステップＳ５０３
制御部３１０は、発信方法が国際発信かの判断を行う。
（４）ステップＳ５０４
制御部３１０は、国際発信であった場合、ＵＳＩＭカード４００の情報を基にローミングを行いローミング情報（国番号、時差）を取得する。
（５）ステップＳ５０５
制御部３１０は、時計部３７０から得た時刻と、国内か国際（国番号）かの表示選択で得た国番号と、ローミング情報（国番号、時差）で得た国番号と時差から、発話先の時刻を算出する。
（６）ステップＳ５０６
制御部３１０は、深夜時間帯かの判断を行う。
（７）ステップＳ５０７
制御部３１０は、表示部３５０に発話先が深夜時間帯であるが発話するかの確認表示を行う。すなわち、この確認表示が、警告表示となる。
（８）ステップＳ５０８
制御部３１０は、発話ＯＫとなった場合には、発話を実行し、発話ＯＫでなかった場合には発話せずに終了する。
（９）ステップＳ５０９
また、制御部３１０は、国際発信でなかった場合、及び、深夜時間帯でなかった場合には、発話を行う。
【００５６】
このように、本実施例では、受信者の深夜時間帯への発話が予防できる。理由としては、ローミング情報を元に発話先の時刻を算出して警告表示を実現することにより、発話先の時間を意識しない発話が排除できるためである。
【００５７】
なお、警告表示として、自国時刻（通信先の現地時刻）や、ローミングのサービスを利用する際にかかる単位時間当たりの料金を表示部３５０に表示するようにしても良い。
【００５８】
ここでは、深夜時間帯を例に説明しているが、実際には、深夜時間帯に限らず、発話を避けるべき時間帯でも良い。例えば、普段、相手側が通話できない時間帯（勤務時間中、授業中、運転中、交通機関での移動中など）が考えられる。すなわち、制御部３１０は、ダイヤル入力された電話番号に基づいて相手を判定し、当該相手の発話を避けるべき時間帯であるかの判断を行う。なお、相手の電話番号、及び当該相手の発話を避けるべき時間帯については、予め設定しておく。制御部３１０は、この設定情報を一時記憶部３３０又は電話帳記憶部３８０に格納する。
【００５９】
また、ＵＳＩＭカード４００の高性能化、高機能化に伴い、制御部３１０及び記憶部３４０の代わりに、制御部４１０及び記憶部４２０を使用することが考えられる。すなわち、制御部４１０が、記憶部４２０に格納された制御プログラムに従い、本実施例の発話制限動作を行うようにすることが考えられる。
【００６０】
以上のように、本発明では、海外の使用での公知の技術によりローミングを行い、ローミング認証で得たオペレータ情報（国番号、時差）からローミング先で自国時刻を得ることができ、ローミング先から自国時刻で深夜時間帯への発話警告や、自国オペレータサービス機能への接続制限／接続警告を行うことりよりローミング先での利便性向上させたことを特徴としている。
【００６１】
本発明では、ローミング先の国で使用の場合でローミング先国と、自国とで時差が有る場合でのローミング先国からの発呼を試みる場合で、無意識に発呼した場合に警告、或いは制限することより、受信者への配慮がなされている。
【００６２】
また、本発明では、ローミング先の国で、無意識に国内同様に機能を使用制限する、或いは警告を出すことにより、意図しない利用料金の発生を防止する。
【図面の簡単な説明】
【００６３】
【図１】図１は、本発明の第１実施例の携帯端末装置の構成を示すブロック図である。
【図２Ａ】図２Ａは、本発明の第１実施例の機能制限機能設定動作を示すフローチャートである。
【図２Ｂ】図２Ｂは、本発明の第１実施例の機能制限機能設定動作を示すフローチャートである。
【図３Ａ】図３Ａは、本発明の第１実施例の機能制限動作を示すフローチャートである。
【図３Ｂ】図３Ｂは、本発明の第１実施例の機能制限動作を示すフローチャートである。
【図３Ｃ】図３Ｃは、本発明の第１実施例の機能制限動作を示すフローチャートである。
【図４】図４は、本発明の第１実施例のローミング情報からの発話制限動作を示すフローチャートである。
【図５Ａ】図５Ａは、本発明の第２実施例の他の機能制限動作を示すフローチャートである。
【図５Ｂ】図５Ｂは、本発明の第２実施例の他の機能制限動作を示すフローチャートである。
【図５Ｃ】図５Ｃは、本発明の第２実施例の他の機能制限動作を示すフローチャートである。
【図６】図６は、本発明の第３実施例の携帯端末装置の構成を示すブロック図である。
【図７】図７は、本発明の第３実施例のローミング情報からの発話制限動作を示すフローチャートである。
【符号の説明】
【００６４】
１００，３００…  携帯端末装置
１１０，３１０…  制御部
１２０，３２０…  記憶部
１３０，３３０…  一時記憶部
１４０，３４０…  キー入力部
１５０，３５０…  表示部
１６０，３６０…  無線部
１７０，３７０…  時計部
３８０…  電話帳記憶部
２００，４００…  ＵＳＩＭカード
２１０，４１０…  制御部
２２０，４２０…  記憶部
【図１】
2008301435.tif 000003
【図２Ａ】
2008301435.tif 000004
【図２Ｂ】
2008301435.tif 000005
【図３Ａ】
2008301435.tif 000006
【図３Ｂ】
2008301435.tif 000007
【図３Ｃ】
2008301435.tif 000008
【図４】
2008301435.tif 000009
【図５Ａ】
2008301435.tif 000010
【図５Ｂ】
2008301435.tif 000011
【図５Ｃ】
2008301435.tif 000012
【図６】
2008301435.tif 000013
【図７】
2008301435.tif 000014